(57)【要約】【課題】  コンパクトで設置に場所をとらない着座具でありながら、ハイバックの着座具としてもローバックの着座具としても使用することができ、肘掛けを適切な高さの枕や背凭れとして利用することもできる多機能型の肘掛け付き着座具を提供する。【解決手段】  本発明の肘掛け付き着座具は、肘掛けを左右非対称とすることによって、又は、左右の肘掛けの双方若しくはいずれか一方を昇降若しくは変形させることによって、ハイバックの着座具やローバックの着座具として使用でき、適正な高さの背凭れや枕として使用することもできるようにした。【選択図】図１
2017121327.tif 000002
【特許請求の範囲】
【請求項１】
座の幅方向両側方に肘掛けを備えた肘掛け付き着座具において、
左右の肘掛けが非対称である、又は、左右の肘掛けの双方若しくはいずれか一方を昇降若しくは変形させることによって、左右の肘掛けを非対称とすることができる、
ことを特徴とする肘掛け付き着座具。
【請求項２】
請求項１記載の肘掛け付き着座具において、
左右の肘掛けの高さと幅の双方若しくはいずれか一方が異なる、又は、変形後若しくは昇降後の左右の肘掛けの高さと幅の双方若しくはいずれか一方が異なる、
ことを特徴とする肘掛け付き着座具。
【請求項３】
請求項１又は請求項２記載の肘掛け付き着座具において、
座の背面側に背凭れが設けられ、
前記背凭れは立設状態から少なくとも後方に傾倒可能であり、
前記背凭れを後方に傾倒させることによって、背凭れの高さを立設状態と異なる高さにすることができる、
ことを特徴とする肘掛け付き着座具。
【請求項４】
請求項３記載の肘掛け付き着座具において、
左右の肘掛けのいずれか一方が立設状態若しくは傾倒状態の背凭れと同一若しくは略同一の高さである、又は、前記肘掛けの双方若しくはいずれか一方を変形させることにより立設状態若しくは傾倒状態の背凭れと同一若しくは略同一の高さとすることができる、
ことを特徴とする肘掛け付き着座具。
【請求項５】
請求項１から請求項４のいずれか１項に記載の肘掛け付き着座具において、
少なくとも左右の肘掛けが前記肘掛け付き着座具の本体から脱着可能であり、
前記本体から取り外した左右の肘掛けを入れ替えて当該本体に取り付け可能である、
ことを特徴とする肘掛け付き着座具。
【請求項６】
座の幅方向両側方に肘掛けを備えた肘掛け付き着座具において、
既存の肘掛け付き着座具の左右の肘掛けが取外し可能であり、
前記肘掛けを取り外した肘掛け付き着座具に、左右非対称の肘掛けが取り付けられた、
ことを特徴とする肘掛け付き着座具。
【請求項７】
取外し式の肘掛けを備えた既存の肘掛け付き着座具の左右の肘掛けに代えて取り付け可能な交換用肘掛けであって、
既存の肘掛け付き着座具の左右の肘掛けの双方又はいずれか一方に代えて取り付けることによって、当該肘掛け付き着座具の左右の肘掛けを非対称にすることができる、
ことを特徴とする交換用肘掛け。
【発明の詳細な説明】
【技術分野】
【０００１】
本発明は、ソファや座椅子といった各種着座具に関し、より具体的には、座の幅方向両側方に肘掛けを備えた肘掛け付き着座具と、肘掛け付き着座具の交換用の肘掛け（交換用肘掛け）に関するものである。
【背景技術】
【０００２】
肘掛け付き着座具の一つとして肘掛け付きソファが知られている（特許文献１）。特許文献１に示す肘掛け付きソファは、座の幅方向両側方に肘掛けが、背面側に背凭れが設けられている。この肘掛け付き着座具の肘掛けは左右対称であり、その高さは着座者が肘を載せるのに適した高さとしてある。
【先行技術文献】
【特許文献】
【０００３】
【特許文献１】特開２００７−０４４１４７号公報
【発明の概要】
【発明が解決しようとする課題】
【０００４】
前記肘掛け付きソファは、ハイバックソファとしてもローバックソファとしても利用できるという点で優れているが、肘掛けの高さを着座者が肘を載せるのに適した高さとしてあるため、寝転がる際に枕として利用するには高すぎ、横座りする際に背凭れとして利用するには低すぎるという難点がある。横長座と縦長座を組み合わせた、いわゆるシェーズロングソファ（カウチソファ）であれば、これらの多様なニーズに対応することもできるが、シェーズロングソファは全体の面積が大きく、設置に場所をとるという難点がある。
【０００５】
本発明の解決課題は、コンパクトで設置に場所をとらない着座具でありながら、ハイバックの着座具としてもローバックの着座具としても使用することができ、肘掛けを適切な高さの枕や背凭れとして利用することもできる多機能型の肘掛け付き着座具と、肘掛け付き着座具の交換用肘掛けを提供することにある。
【課題を解決するための手段】
【０００６】
本発明の肘掛け付き着座具は、肘掛けを左右非対称とした、或いは肘掛けを変形させて左右非対称にできるようにしたものである。
【発明の効果】
【０００７】
本発明の肘掛け付き着座具は、コンパクトで設置に場所をとらない着座具でありながら、一台で、ハイバックの着座具としての機能やローバックの着座具としての機能、適切な高さの枕や背凭れとしての機能など、多様な利用ニーズに応えることができる。
【図面の簡単な説明】
【０００８】
【図１】本発明の肘掛け付き着座具の一例を示す斜視図。
【図２】（ａ）は図１の肘掛け付き着座具の正面図、（ｂ）は図１の肘掛け付き着座具の背面図、（ｃ）は図１の肘掛け付き着座具の側面図。
【図３】本発明の肘掛け付き着座具の他例を示すものであって、（ａ）は左右の肘掛けの高さと幅の双方を異なるようにした場合の正面図、（ｂ）は左右の肘掛けの高さは同じ又は略同じで幅のみを異なるようにした場合の正面図、（ｃ）は左右の肘掛けの幅は同じ又は略同じで高さのみを異なるようにした場合の正面図。
【図４】本発明の肘掛け付き着座具の使用例を示すものであって、（ａ）は低い方の肘掛けを枕代わりに使用する場合の一例を示すもの、（ｂ）は高い方の肘掛けを背凭れとして使用する場合の一例を示すもの、（ｃ）は背凭れを後傾させてローバックの着座具として使用する場合の一例を示すもの、（ｄ）は背凭れを立設させてハイバックの着座具として使用する場合の一例を示すもの、（ｅ）は子供の遊ぶスペース等を備えた着座具として使用する場合の一例を示すもの。
【図５】肘掛けを本体から取り外し可能として、左右の肘掛けを入れ替える場合の説明図であって、（ａ）は左右の肘掛けを本体から取り外した状態を示すもの、（ｂ）は左右の肘掛けを入れ替えて本体に取り付けた状態を示すもの。
【図６】本発明の交換用肘掛けの一例を示すものであって、（ａ）は既存の肘掛け着座具の左側の肘掛けを取り外した状態を示すもの、（ｂ）は左側の肘掛けを取り外した既存の肘掛け付き着座具に、右側の肘掛けと高さが異なる交換用肘掛けを取り付けた状態を示すもの。
【発明を実施するための形態】
【０００９】
（肘掛け付き着座具の実施形態）
本発明の肘掛け付き着座具（以下、「着座具」という）１の一例を、図面を参照して説明する。ここでは着座具１がソファ１の場合を一例として説明する。一例として図１及び図２（ａ）〜（ｃ）に示すソファ１は、座２が二つ横並びに配置された二人掛けソファ１であって、本体３と、当該本体３の上面側に設けられた座２と、当該座２の幅方向両側方に設けられた肘掛け４と、当該座２の背面側に設けられた背凭れ５を備えている。
【００１０】
前記本体３は座２を配置する座配置部３ａと、肘掛け４を配置する肘掛け配置部３ｂを備えている。座配置部３ａには二つの座クッションが横並びに設けられ、肘掛け配置部３ｂには肘掛け４が設けられている。座配置部３ａに載せられた座クッションの後方側には、当該座クッションの上面よりも一段高い高台状の背凭れ配置部８が設けられている。背凭れ配置部８には二つの背凭れ５が横並びで二つ設けられている。夫々の背凭れ５は、図示しない角度調節具を介して背凭れ配置部８に連結されている。本体３の底面側には、脚６が設けられている。
【００１１】
一例として図１及び図２（ａ）〜（ｃ）に示す左右の肘掛け４（説明の便宜上、以下では、図２（ａ）の左側の肘掛けを「左肘掛け４ａ」と、右側の肘掛けを「右肘掛け４ｂ」という）は、高さと幅の双方が異なるものである。具体的には、図２（ａ）の右肘掛け４ｂが左肘掛け４ａよりも高く、左肘掛け４ａが右肘掛け４ｂよりも幅広に形成されている。左肘掛け４ａは幅３５０ｍｍ程度、高さ（本体３の上面から左肘掛け４ａの上面までの高さ）２５０ｍｍ程度としてあり、右肘掛け４ｂは幅１２０ｍｍ程度、高さ（本体３の上面から右肘掛け４ｂの上面までの高さ）３８０ｍｍ程度としてある。いずれの肘掛け４も、その上端面が、図２（ｃ）に実線で示す後傾した状態（本願において「後傾状態」という）の背凭れ５の上面（後傾状態で上側を向く面。本願において、同じ。）よりも低くなるような寸法としてある。前記数値はあくまでも一例であり、寸法はこれら以外であってもよい。
【００１２】
肘掛け４は左右が非対称であればこれ以外であってもよく、肘掛け４の幅のみを非対称とすることも、高さのみを非対称とすることもできる。具体的には、図３（ａ）のように、左肘掛け４ａが右肘掛け４ｂよりも高く（Ｈ１＞Ｈ２）、右肘掛け４ｂが左肘掛け４ａよりも幅広になる（Ｗ１＜Ｗ２）ようにしたり、図３（ｂ）のように、両肘掛け４ａ、４ｂの高さを同じ又は略同じとして（Ｈ１＝Ｈ２）、幅のみが異なる（Ｗ１＞Ｗ２）ようにしたり、図３（ｃ）のように、両肘掛け４ａ、４ｂの幅を同じ又は略同じとして（Ｗ１＝Ｗ２）高さのみが異なる（Ｈ１＜Ｈ２）ようにすることもできる。肘掛け４は、その一部又は全部を側方に倒して変形させたり、上下に昇降させたりすることによって、左右非対称とすることもできる。上下に昇降させる手段としては、例えば、油圧ダンパー等を用いることができる。肘掛け４を自動車のヘッドレストのような差し込み式のものとしておき、その差込み長を調節することによって肘掛け４を昇降させられる（肘掛け４の高さを変えられる）ようにしてもよい。
【００１３】
この実施形態では、左肘掛け４ａの高さを、前記背凭れ配置部８の上面と同じ又は略同じ高さとなるようにしてあり、右肘掛け４ｂの高さを、後傾させた背凭れ５の上面と同じ又は略同じ高さとなるようにしてある。このような高さとすることで、図４（ａ）のようにソファ１に寝転がったときには、左肘掛け４ａを首の痛くならない適切な高さの枕として使用することができ、図４（ｂ）のように足を延ばして横向き座ったときには、右肘掛け４ｂを着座者の腰付近までがサポートされる適切な高さの背凭れとして使用することができる。
【００１４】
一例として図１及び図２（ａ）〜（ｃ）に示す背凭れ５は、図２（ｃ）に点線で示す立設した状態（本願において「立設状態」という）から、同図の後傾状態まで傾倒させられるようにしてある。背凭れ５は、図示しない角度調節具を介して背凭れ配置部８に連結され、背凭れ５を多段階に角度調節できるようにしてある。背凭れ５は、立設状態では着座者の肩甲骨付近までをサポート可能な高さとし、後傾状態では着座者の腰付近までをサポート可能な高さとしてある。着座者の肩甲骨付近までをサポート可能な高さとしては、例えば、座の表面から高さ４８０ｍｍ程度が、着座者の腰付近までをサポート可能な高さとしては、例えば、２５０ｍｍ程度が適する。前記数値はあくまでも一例であり、寸法はこれら以外であってもよい。
【００１５】
図５（ａ）（ｂ）に示すように、本発明の着座具１は、肘掛け４を本体３から脱着可能とし、本体３から取り外した左右の肘掛け４ａ、４ｂを入れ替えて取り付けられるようにしてもよい。これにより、着座者の好みの向きで寝転がったり、横座りしたりすることができる。
【００１６】
なお、図１及び図２（ａ）〜（ｃ）に示す例では、左肘掛け４ａだけにテーブル７が設けられているが、テーブル７は両肘掛け４ａ、４ｂに設けることも、右肘掛け４ｂだけに設けることもできる。テーブル７の材質は木製、石製、樹脂製、金属製など、用途に応じて各種材質製のものを選択することができる。テーブル７は固定式のものでも、脱着式のものでもよい。テーブル７は必要に応じて設ければよく不要な場合には省略することができる。
【００１７】
（肘掛け付き着座具のその他の実施形態）
前記実施形態では、座２が二つ横並びに設けられた二人掛けソファを一例として説明しているが、ソファは一人掛けソファであっても、三人掛け以上のソファであってもよい。また、座の幅方向両側方に肘掛けを備えている着座具であれば、ソファ以外の着座具（例えば、座椅子等）であってもよい。
【００１８】
前記実施形態では、ソファ１の背凭れ５が傾倒式の場合を一例として説明しているが、本発明の着座具１は背凭れ５が傾倒しないものであってもよい。前記実施形態では、背凭れ５自体は傾倒せず、背凭れ５と背凭れ配置部８との連結部分から傾倒する場合を一例としているが、背凭れ５自体がその途中部分から傾倒する（折り畳める）ようにすることもできる。
【００１９】
前記実施形態では設けていないが、夫々の座２の前方側には、フットレストを設けることもできる。フットレストは折畳み式のものが好ましいが、折畳み式以外のものであってもよい。
【００２０】
（交換用肘掛けの実施形態）
本発明の交換用肘掛け９の一例について、図６（ａ）（ｂ）を参照して説明する。一例として図６（ａ）（ｂ）に示す交換用肘掛け９は、座Ｃの幅方向両側方に取外し式の肘掛けＢを備えた既存の肘掛け付き着座具Ａの左右の肘掛けＢに代えて取り付け可能なものである。交換用肘掛け９は、既存の肘掛け付き着座具Ａの左右の肘掛けＢの双方又はいずれか一方に代えて取り付けることができる。交換用肘掛け９を双方の肘掛けＢに代えて取り付ける場合、左右が非対称となるものを取り付ける。具体的には、高さと幅の双方又はいずれか一方が異なるものを取り付ける。交換用肘掛け９を一方の肘掛けＢに代えて取り付ける場合、残す方の肘掛けＢと非対称なものを取り付ける。この場合も、高さと幅の双方又はいずれか一方が異なるものを取り付ける。本発明の交換用肘掛け９を用いることによって、本発明の着座具１を得ることができる。
【００２１】
（使用例）
本発明の着座具１の使用例について、図面を参照して説明する。本発明の着座具１は、例えば、次の（１）〜（５）のように使用することができる。なお、夫々の使用例の説明における寸法は一例であり、これ以外であってもよい。
【００２２】
（１）低い方の肘掛け（図２（ａ）の左肘掛け）を枕として使用する場合
本発明の着座具１は、図４（ａ）のように、ソファ１に寝転がる際に、低い方の肘掛け（左肘掛け４ａ）を枕として使用することができる。図４（ａ）に示す例では、座２の表面から肘掛け４ａの上面までの高さを２５０ｍｍ程度と低くしてあるため、首が疲れることなく横に寝転がることができる。
【００２３】
（２）高い方の肘掛け（図２（ｂ）の右肘掛け）を背凭れとして使用する場合
本発明の着座具１は、図４（ｂ）のように、ソファに横座りする際に、高い方の肘掛け（右肘掛け４ｂ）を背凭れとして使用することができる。図４（ｂ）に示す例では、座２の表面から肘掛け４ｂの上面までの高さを３８０ｍｍ程度と高くしてあり、着座者の腰付近までをサポートすることができる。
【００２４】
（３）ローバックソファとして使用する場合
本発明の着座具１は、図４（ｃ）のように、背凭れ５を後傾状態とすることで、ローバックソファとして使用することができる。図４（ｃ）に示す例では、座２の表面から後傾状態の背凭れ５の上面までの高さを２５０ｍｍ程度と高くしてあり、着座者の腰付近までをサポートすることができる。
【００２５】
（４）ハイバックソファとして使用する場合
本発明の着座具１は、図４（ｄ）のように、背凭れ５を立設状態とすることで、ハイバックソファとして使用することができる。図４（ｄ）に示す例では、座２の表面から立設状態の背凭れ５の上面までの高さを４８０ｍｍ程度と高くしてあり、着座者の肩甲骨付近までをサポートすることができる。
【００２６】
（５）子供の遊ぶスペース等として使用する場合
本発明の着座具１は、図４（ｅ）のように、座２の部分を子供の遊ぶスペースとして使用することができる。図４（ｅ）に示す例では、座２の前端から背凭れ５の根元部分までの長さを５６０ｍｍ程度と広くしてあるため、子供が座って積み木などで遊ぶための或いは着座者があぐらをかいて座れるだけのスペースを確保することができる。
【産業上の利用可能性】
【００２７】
本発明の着座具１は、座２の幅方向両側方に肘掛け４が設けられている限り、ソファ以外の着座具にも適用することができる。
【符号の説明】
【００２８】
１      肘掛け付き着座具（着座具、ソファ）
２      座
３      本体
３ａ    座配置部
３ｂ    肘掛け配置部
４      肘掛け
５      背凭れ
６      脚
７      テーブル
８      背凭れ配置部
９      交換用肘掛け
Ａ      既存の肘掛け付き着座具
Ｂ      （既存の肘掛け付き着座具の）肘掛け
Ｃ      （既存の肘掛け付き着座具の）座
【図１】
2017121327.tif 000003
【図２】
2017121327.tif 000004
【図３】
2017121327.tif 000005
【図４】
2017121327.tif 000006
【図５】
2017121327.tif 000007
【図６】
2017121327.tif 000008